(57)【要約】      （修正有）【課題】サブロックの解除操作と操作レバーの回動操作とを持ち替えずに１回の操作でできるようにするとともに、コストを削減したクレセント錠を提供する。【解決手段】操作レバー６は、回動軸４に一体的に連設されたガイド部材と、ガイド部材に対して回動軸４の半径方向にスライド可能に設けられるとともに、バネ部材により回動軸４の外周方向に付勢保持され、且つベース部材３側に突出するサブロック用突部１２a、１２bを備えた操作レバー本体とからなる構造とする。ベース部材３は、操作レバー６を解錠位置に回動させたときにサブロック用突部が自動的に係合するとともに、操作レバー６が施錠位置にあるときに操作レバー６の回動を阻止し操作レバー６を解錠方向に回動させる際、操作レバー本体をバネ部材の付勢力に抗して回動軸４の中心方向にスライドさせることにより、サブロック用突部との係合を解除するようにした施錠側係合段部を備える。【選択図】図１
2015001080.tif 000002
【特許請求の範囲】
【請求項１】
室内障子側に固定されるベース部材と、このベース部材に対して回動軸を回転中心として回動自在に取り付けられたクレセントと、このクレセントを回動操作する操作レバーとを含んで構成され、
前記操作レバーは、前記回動軸に一体的に連設されたガイド部材と、前記ガイド部材に対して前記回動軸の半径方向にスライド可能に設けられるとともに、付勢手段により前記回動軸の外周方向に付勢保持され、且つ前記ベース部材側に突出するサブロック用突部を備えた操作レバー本体とからなり、
前記ベース部材は、前記操作レバーを施錠位置に回動させたときに前記サブロック用突部が自動的に係合するとともに、前記操作レバーが施錠位置にあるときに前記操作レバーの回動を阻止し、前記操作レバーを解錠方向に回動させる際、前記操作レバー本体を前記付勢手段の付勢力に抗して前記回動軸の中心方向にスライドさせることにより、前記サブロック用突部との係合を解除するようにした施錠側係合段部を備えることを特徴とするクレセント錠。
【請求項２】
前記ベース部材は、前記操作レバーを解錠位置に回動させたときに前記サブロック用突部が自動的に係合するとともに、前記操作レバーが解錠位置にあるときに前記操作レバーの回動を阻止し、前記操作レバーを施錠方向に回動させる際、前記操作レバー本体を前記付勢手段の付勢力に抗して前記回動軸の中心方向にスライドさせることにより、前記サブロック用突部との係合を解除するようにした解錠側係合段部を備える請求項１記載のクレセント錠。
【発明の詳細な説明】
【技術分野】
【０００１】
本発明は、引き違い障子などの施錠装置として用いられるサブロック機構付きクレセント錠に関する。
【背景技術】
【０００２】
従来より、引き違い窓等のサッシ用施錠装置としてクレセント錠が知られている。このクレセント錠は、図８に示されるように、室内障子の縦框（召合せ框）に取り付けられる取付けベース５０と、この取付けベース５０に対してクレセント軸５１を介して回動自在に取り付けられたクレセント５２とからなるもので、このクレセント５２に一体的に連結された操作レバー５３を掴み、ほぼ１８０°の範囲で回動させることにより、クレセント５２を室外側障子に取り付けられた係止金具（図示せず）に対して係脱させるようにした引き違い障子等のための施錠装置である。
【０００３】
近年、この種のクレセント錠においても、同図及び下記特許文献１、２に示されるように、防犯等の配慮から施錠状態において、クレセント５２の回動を阻止するために上下方向にスライド操作されるサブロック用ストッパー片５４を設けた、いわゆるサブロック機構が採用されるようになってきた。
【０００４】
しかし、上記したような手動操作によるサブロック機構の場合は、施・解錠時毎に、サブロック操作片５４をスライド操作しなければならない点で不便であるとともに、サブロックを掛け忘れることもあった。
【０００５】
そこで、下記特許文献３では、施錠時に自動的にクレセントの回動を阻止するように動作するサブロック機構を備えたクレセント錠において、サブロックの解錠操作を片手で行えるようにするため、前記サブロック機構として、操作レバーの回動軸に一体的に連結されるとともに、周面部にサブロック用係合段部を有する回動子と、この回動子のサブロック用係合段部に係合することにより前記回動子の回動を阻止するサブロック状態位置と、前記回動子から離間し回動子の回動を許容するサブロック解除状態位置との間でスライド可能に設けられるとともに、付勢手段により前記回動子側方向に付勢されたサブロック操作片とからなるものが提案されている。そして、前記サブロック操作片は、前記サブロック解除状態位置へ移動させた際に、他部材への係合によって、該サブロック操作片を前記サブロック解除状態位置に仮保持する第１係合部材と、このサブロック解除状態位置に保持された状態で操作レバーを回動操作した際に、前記回動子の一部が衝合することにより前記サブロック操作片の仮保持を解除するための第２係合部材とを備えている。
【先行技術文献】
【特許文献】
【０００６】
【特許文献１】特開２００７−２０５０５３号公報
【特許文献２】特開２００９−５２３６８号公報
【特許文献３】特開２００６−７０５６０号公報
【発明の概要】
【発明が解決しようとする課題】
【０００７】
しかしながら、上記特許文献３記載のクレセント錠の場合、施錠操作時には自動的にサブロック機構が作動してクレセントの回動が阻止されるが、解錠操作時には、サブロック操作片をスライド操作した後、次に操作レバーに持ち替えて回動操作するという２段階の操作が必要になるため、サブロック操作片と操作レバーを持ち替えなければならない点で不便であるとともに、サブロック操作片を有する構造であると、どうしても複雑な機構にならざるを得ず、部品点数が増えてコストが嵩むという問題があった。
【０００８】
そこで本発明の主たる課題は、サブロックの解除操作と操作レバーの回動操作とを持ち替えずに１回の操作でできるようにするとともに、コストを低減したクレセント錠を提供することにある。
【課題を解決するための手段】
【０００９】
上記課題を解決するために請求項１に係る本発明として、室内障子側に固定されるベース部材と、このベース部材に対して回動軸を回転中心として回動自在に取り付けられたクレセントと、このクレセントを回動操作する操作レバーとを含んで構成され、
前記操作レバーは、前記回動軸に一体的に連設されたガイド部材と、前記ガイド部材に対して前記回動軸の半径方向にスライド可能に設けられるとともに、付勢手段により前記回動軸の外周方向に付勢保持され、且つ前記ベース部材側に突出するサブロック用突部を備えた操作レバー本体とからなり、
前記ベース部材は、前記操作レバーを施錠位置に回動させたときに前記サブロック用突部が自動的に係合するとともに、前記操作レバーが施錠位置にあるときに前記操作レバーの回動を阻止し、前記操作レバーを解錠方向に回動させる際、前記操作レバー本体を前記付勢手段の付勢力に抗して前記回動軸の中心方向にスライドさせることにより、前記サブロック用突部との係合を解除するようにした施錠側係合段部を備えることを特徴とするクレセント錠が提供される。
【００１０】
上記請求項１記載の発明では、前記操作レバーに、ベース部材側に突出するサブロック用突部が備えられるとともに、前記ベース部材に、前記操作レバーを施錠位置に回動させたときに前記サブロック用突部が自動的に係合するとともに、前記操作レバーが施錠位置にあるときに前記操作レバーの回動を阻止し、前記操作レバーを施錠方向に回動させる際、前記操作レバー本体を前記付勢手段の付勢力に抗して前記回動軸の中心方向にスライドさせることにより、前記サブロック用突部との係合を解除するようにした施錠側係合段部が備えられている。このため、施錠時には操作レバーを施錠位置に回動させるだけで自動的にサブロック用突部が施錠側係合段部に係合してサブロック機能が発揮されるとともに、解錠時には前記操作レバー本体を前記付勢手段の付勢力に抗して前記回動軸の中心方向にスライドさせることにより、前記サブロック用突部と施錠側係合段部との係合が解除され、その後、操作レバー本体を掴んだ状態のまま、操作レバーを回動させることにより解錠できるようになる。従って、施錠時にサブロックをし忘れたり面倒な操作を要したりしないとともに、解錠時にサブロックの解除操作と操作レバーの回動操作とが持ち替えることなく１回の操作でできるようになる。
【００１１】
また、サブロック用の操作片など別途サブロック用の部材を備えるものではないため、構造が簡略化でき、部品点数が少なくて済み製造コストが低減できる。
【００１２】
請求項２に係る本発明として、前記ベース部材は、前記操作レバーを解錠位置に回動させたときに前記サブロック用突部が自動的に係合するとともに、前記操作レバーが解錠位置にあるときに前記操作レバーの回動を阻止し、前記操作レバーを施錠方向に回動させる際、前記操作レバー本体を前記付勢手段の付勢力に抗して前記回動軸の中心方向にスライドさせることにより、前記サブロック用突部との係合を解除するようにした解錠側係合段部を備える請求項１記載のクレセント錠が提供される。
【００１３】
上記請求項２記載の発明では、操作レバーが解錠位置にあるときにも、前記サブロック用突部が係合し前記操作レバーの回動を阻止する解錠側係合段部を備えるようにしている。これによって、操作レバーが解錠位置にあるときに、子供などが誤って操作レバーを施錠位置に操作するのが防止できるようになる。
【発明の効果】
【００１４】
以上詳説のとおり本発明によれば、サブロックの解除操作と操作レバーの回動操作とを持ち替えずに１回の操作でできるようになるとともに、コストが低減できる。
【図面の簡単な説明】
【００１５】
【図１】本発明に係るクレセント錠１を示す、(A)は正面図、(B)は側面図、(C)は上面図である。
【図２】クレセント錠１の縦断面図である。
【図３】ガイド部材９を示す(A)は正面図、(B)は側面図、(C)は縦断面図、(D)は底面図である。
【図４】操作レバー本体１０を示す(A)は正面図、(B)は縦断面図、(C)は底面図である。
【図５】ベース部材３を示す(A)は正面図、(B)は側面図、(C)は底面図である。
【図６】(A)〜(F)はクレセント錠１の作動図である。
【図７】(A)はサブロック時、(B)はサブロック解除時を示す、操作レバー６の斜視図である。
【図８】従来のクレセント錠を示す(A)は裏面図、(B)は側面図である。
【発明を実施するための形態】
【００１６】
以下、本発明の実施の形態について図面を参照しながら詳述する。
【００１７】
クレセント錠１は、図１及び図２に示されるように、室内障子の召合せ框にビス等で取り付けられる裏面が開口した函体状のベース部材３と、このベース部材３に対して回動軸４を回転中心として回動自在に取り付けられたクレセント５と、前記回動軸４と一体的に連設された操作レバー６と、前記ベース部材３内において前記回動軸４に一体的に固設された回動子８とからなり、室内障子の召合せ框にビス孔７、７を介してビス等で取り付けられる施錠側金物２、及び室外障子の召合せ框にビス等で取り付けられ、前記クレセント５を係合させるためのフック部を有するクレセント受け金具（図示せず）からなる。
【００１８】
前記クレセント錠１は、図１に示されるように、前記操作レバー６を摘み、クレセント５をほぼ１８０°範囲で回動させることにより、クレセント５の周囲に形成された、壁高を漸次テーパー状に変化させた環状周壁５Ａがクレセント受け金具に対して係脱し、窓の施錠または解錠がなされるようになっている。なお、ベース部材３の一端と、前記回動子８の一端とを連結するバネ部材（図示せず）を設け、クレセント５の回動時に操作レバー６を水平の状態から施錠位置及び解錠位置に対して付勢させるようにすることが好ましい。
【００１９】
前記操作レバー６は、図２に示されるように、前記回動軸４に一体的に連設されたガイド部材９と、前記ガイド部材９に係合し前記回動軸４の半径方向にスライド可能に設けられるとともに、バネ部材１１により前記回動軸４の外周方向に付勢保持され、且つベース部材３側に突出するサブロック用突部１２を備えた操作レバー本体１０とから構成されている。
【００２０】
前記ガイド部材９は、図３に示されるように、略直方体状の本体部９Ａと、この本体部９Ａの後端から二股状に延びるとともに、外面側にガイド溝９ａ、９ａが備えられたガイド部９Ｂとから構成されている。前記本体部９Ａには、図３(C)に示されるように、四角形の頭部と円形の軸部とからなる前記回動軸４の頭部が係合することにより、ガイド部材９と回動軸４とを一体的に連設する略四角形に形成された係合凹部９ｂが設けられている。また、前記本体部９Ａには、外面側に突出するツメ部９ｃが備えられている。前記ツメ部９ｃは、前記操作レバー本体１０との嵌合時に、操作レバー本体１０の内面に形成された係合溝１０ｂに係合して（図２参照）、操作レバー本体１０とガイド部材９とが脱落するのを防止する役割を果たしている。前記ツメ部９ｃは、前記操作レバー本体１０への挿入方向に対しては傾斜面とされ、引抜き方向に対しては垂直面とされることにより、ガイド部材９と操作レバー本体１０との組立時には梁状に形成されたツメ部９ｃの基端が弾性変形して容易に挿入できるとともに、前記ツメ部９ｃが係合溝１０ｂに係合した後にはツメ部９ｃの垂直面が係合溝１０ｂの側面に衝合してガイド部材９と操作レバー本体１０とが容易に引き抜けないようになっている。前記本体部９Ａの後端には前記バネ部材１１が嵌合しバネ部材１１の反力を受け止める凹部９ｄが設けられている。
【００２１】
前記操作レバー本体１０は、縦長の部材からなり、一方端側に前記ガイド部材９が嵌合する空間部を有している。前記空間部の内面両側にはそれぞれ、部材長手方向に沿ってガイドレール１０ａ、１０ａが備えられ、前記ガイド部材９のガイド溝９ａ、９ａに沿ってスライド可能に設けられるようになる。また、前記空間内面の背側には、前記ガイド部材９のツメ部９ｃが係合する係合溝１０ｂが設けられている。前記空間部の他方端側の幅方向中央部には、ベース部材３側に突出するサブロック用突部１２が備えられている。
【００２２】
前記操作レバー６の組立ては、前記ガイド部材９の係合凹部９ｂに回動軸４の頭部を係合させるとともに、前記バネ部材１１を凹部９ｄに嵌合させ、前記ガイド部材９のガイド溝９ａ、９ａに前記操作レバー本体１０のガイドレール１０ａ、１０ａを嵌合させながらスライドさせて挿入し、前記ツメ部９ｃを係合溝１０ｂに係合させる。前記操作レバー本体１０は、前記バネ部材１１の付勢力によって前記ガイド部材９から脱落する方向に付勢保持されているが、前記ツメ部９ｃが係合溝１０ｂに係合することによって両者の脱落が阻止されている。
【００２３】
一方、前記ベース部材３は、図５に示されるように、中央部に前記回動軸４を挿入するための開孔３ａが設けられた平面視略長方形状の函体からなり、このベース部材３の表面側には、前記操作レバー６が設けられるようになっている。前記ベース部材３の表面側には、前記開孔３ａより外側の周方向に沿うとともに略半周に亘って一方側（右側）の側縁まで窪んだ凹溝３ｂが形成されている。前記凹溝３ｂの上下端縁３ｇ、３ｈは、ほぼ幅方向に沿う線状に形成されている。
【００２４】
また、前記凹溝３ｂは、前記操作レバー６が施錠位置となる側（上側）の端部に、上側に突出する施錠側係合段部３ｃを有している。前記施錠側係合段部３ｃは、前記操作レバー６を施錠位置に回動させたときに前記サブロック用突部１２が自動的に係合するとともに、前記操作レバー６が施錠位置にあるときに前記操作レバー６の回動を阻止し、前記操作レバー６を施錠方向に回動させる際、前記操作レバー本体１０を前記バネ部材１１の付勢力に抗して前記回動軸４の中心方向にスライドさせることにより、前記サブロック用突部１２との係合が解除できるように形成されている。
【００２５】
すなわち、前記操作レバー６を解錠側から施錠側に回動させたとき、サブロック用突部１２が前記凹溝３ｂの上側端縁３ｇに当接するが、そのまま操作レバー６の回動を続けると、操作レバー本体１０がバネ部材１１の付勢力に抗して回動軸４の中心方向にスライドすることによって、サブロック用突部１２が凹溝３ｂの上側端縁３ｇを乗り越え、自動的にサブロック用突部１２が施錠側係合段部３ｃに係合するようになる。前記操作レバー６が施錠位置にあるときには、前記サブロック用突部１２が施錠側係合段部３ｃに係合しているため、前記操作レバー６の回動が阻止されている。つまり、図１(A)に示されるように、前記施錠側係合段部３ｃのうち前記操作レバー６を解錠側に回動させる際の回動方向の面３ｄ（図５参照）が、回動方向とほぼ直交する方向に形成されるとともに、前記サブロック用突部１２のうち操作レバー６が施錠位置にあるときに解錠側に回動させる際の回動方向の面１２ａが、同じく回動方向とほぼ直交する方向に形成されているため、これらの面３ｄ、１２ａが当接することによって回動が阻止されている。
【００２６】
さらに、前記凹溝３ｂは、前記操作レバー６が解錠位置となる側（下側）の端部に、下側に突出する解錠側係合段部３ｅを有するようにすることが好ましい。前記解錠側係合段部３ｅは、前記操作レバー６を解錠位置に回動させたときに前記サブロック用突部１２が自動的に係合するとともに、前記操作レバー６が解錠位置にあるときに前記操作レバー６の回動を阻止し、前記操作レバー６を回動させる際、前記操作レバー本体１０を前記バネ部材１１の付勢力に抗して前記回動軸４の中心方向にスライドさせることにより、前記サブロック用突部１２との係合が解除されるように形成することが望ましい。この場合、図１(A)に示されるように、解錠側係合段部３ｅのうち前記操作レバー６を施錠側に回動させる際の回動方向の面３ｆ（図５参照）が、その回動方向とほぼ直交する方向に形成されるとともに、前記サブロック用突部１２のうち操作レバー６が解錠位置にあるときに施錠側に回動させる際の回動方向の面１２ｂが、同じく回動方向とほぼ直交する方向に形成され、これらの面３ｆ、１２ｂが当接することによって回動が阻止されている。
【００２７】
一方、前記解錠側係合段部３ｅは設けなくても良いし、操作レバー６の回動が阻止されるように設けなくても回動が困難になるような形状で解錠側係合段部３ｅ及びサブロック用突部１２を設けるようにしても良い。操作レバー６の回動が困難になるように設ける場合、サブロック用突部１２の前記回動方向の面１２ｂをレバー基端側から先端側に向けて漸次回動方向と逆向きに傾斜するように形成するのが好ましい。これにより、操作レバー６を解錠位置から施錠側に回動させる際、ある程度の力を加えて回動操作すれば、サブロック用突部１２が解錠側係合段部３ｅを自動的に乗り越えるようになり、操作レバー本体１０をバネ部材１１の付勢力に抗して回動軸４の中心方向にスライドさせる操作が不要になる。また、小さな子供の力では施錠できないようにしておけば、子供が誤って施錠してしまうという事故が防止できる。
【００２８】
次いで、本クレセント錠１における作動状態を図６により説明する。
【００２９】
先ず、図６(A)は操作レバー６が上向きとなる施錠状態を示したものである。この状態では、操作レバー本体１０がバネ部材１１の付勢力により先端側に付勢保持されているためサブロック用突部１２が施錠側係合段部３ｃに係合して、操作レバー６の回動が阻止されている。
【００３０】
この状態から操作レバー本体１０をバネ部材１１の付勢力に抗して回動軸４の中心方向にスライドさせると（詳細には図７参照）、図６(B)に示されるように、サブロック用突部１２が施錠側係合段部３ｃに係合した状態が解除される。
【００３１】
この状態のまま、持ち替えることなく、操作レバー６を解錠側に回動させると、図６(C)に示されるように、サブロック用突部１２が施錠側係合段部３ｃを越えて操作レバー６の回動操作が可能となる。
【００３２】
その後、図６(D)に示されるように回動を続け、図６(E)に示されるように操作レバー６が解錠位置に来たときに操作レバー本体１０がバネ部材１１の付勢力によってレバー先端側に付勢保持される結果、サブロック用突部１２が解錠側係合段部３ｅに係合するようになる（図６(F)）。
【００３３】
図示例では、操作レバー６の回動操作中、操作レバー本体１０をバネ部材１１の付勢力に抗して回動軸４の中心方向にスライドさせた状態に保持しながら回動させていたが、操作レバー６の回動操作によってサブロック用突部１２が施錠側係合段部３ｃを越えた状態（図６(C)の状態）でスライドさせた状態を解除してもよく、この場合にはサブロック用突部１２が凹溝３ｂの下側端縁３ｈに当接して自動的に操作レバー本体１０がバネ部材１１の付勢力に抗して回動軸４の中心方向にスライドし解錠側係合段部３ｅに係合するようになる。
【００３４】
再度施錠するには、図６(F)に示される状態から操作レバー本体１０をバネ部材１１の付勢力に抗して上方にスライドさせると、図６(E)に示されるようにサブロック用突部１２と解錠側係合段部３ｅとの係合が解除され、操作レバー６の回動が可能となる。
【符号の説明】
【００３５】
１…クレセント錠、２…施錠側金物、３…ベース部材、４…回動軸、５…クレセント、６…操作レバー、７…ビス孔、８…回動子、９…ガイド部材、１０…操作レバー本体、１１…バネ部材、１２…サブロック用突部
【図１】
2015001080.tif 000003
【図２】
2015001080.tif 000004
【図３】
2015001080.tif 000005
【図４】
2015001080.tif 000006
【図５】
2015001080.tif 000007
【図６】
2015001080.tif 000008
【図７】
2015001080.tif 000009
【図８】
2015001080.tif 000010